(57)【要約】      （修正有）【課題】測量において、暗い環境下でも容易に作業を実施できるようにする測量スタッフを提供する。【解決手段】横断面コ字状で上下に長い棒状部材からなるスタッフ本体２と、スタッフ本体における３つの内側面のうち開口部から奥側の面にその上下方向に亘って表示された測量用目盛２１とを備えた測量スタッフ１であって、スタッフ本体の３つの内側面で囲まれた内側空間の上端側には、照明手段である小型ライト４が発光部４０を下向きにして配設されており、暗い環境下で小型ライトを点灯して上方から内側空間を照明することにより、測量用目盛が上端側から下端側まで照らされて前方から総て視認可能な状態になるものとした。【選択図】図１
0003217480.tif 000002
【実用新案登録請求の範囲】
【請求項１】
横断面コ字状で上下に長い棒状部材からなるスタッフ本体と、該スタッフ本体における３つの内側面のうち開口部から奥側の面にその上下方向に亘って表示された測量用目盛とを備えた測量スタッフであって、前記スタッフ本体の３つの内側面で囲まれた内側空間の上端側には、照明手段が発光部を下向きにして配設されており、暗い環境下で前記照明手段を点灯して上方から前記内側空間を照明することにより、前記測量用目盛がその上端側から下端側まで照らされて前方から総て視認可能な状態になる、ことを特徴とした測量スタッフ。
【請求項２】
前記内側面のうち開口部から左右の面には蛍光材又は蓄光材による発光面が前記測量用目盛に並列して形成されており、前記照明手段の光エネルギーで励起された蛍光又は燐光により、前記測量用目盛における照明時の視認性を増強する、ことを特徴とする、請求項１に記載した測量スタッフ。
【請求項３】
前記スタッフ本体の内側空間の下端側には、丸型気泡管による水準器が水準判定部を上向きにして配設されており、前記照明手段を点灯することで前記水準判定部が上方から照らされる、ことを特徴とする請求項１又は２に記載した測量スタッフ。
【請求項４】
前記スタッフ本体の外側面には、その長手方向に沿ってテレスコープ式の支持脚が付設されており、前記支持脚を下向きに延ばしながら所望の長さで固定することによりその全長が下方向に所望量延長される、ことを特徴とする請求項１，２又は３に記載した測量スタッフ。
【考案の詳細な説明】
【技術分野】
【０００１】
本考案は、測量作業に使用するスタッフに関し、殊に、暗い環境でも測量用目盛が目視しやすい測量スタッフに関する。
【背景技術】
【０００２】
水準測量などの測量作業は、望遠機能のある測量器を使用して測量位置に立てた棒状の測量スタッフの測量用目盛を読み取りながら行われるのが一般的である。しかし、照明設備が不充分な建物の中や地下工事現場などの暗い環境で作業を行う場合は、その測量用目盛が読み取りにくくなるため、作業者が測量スタッフを支持しながら懐中電灯等でこれを照らす手間を必要としていた。
【０００３】
この問題に対し、特開２０１６−１１４４８２号公報においては、スタッフ支持部材を介して測量スタッフにＬＥＤライト等の照明手段を取り付けることで、その測量用目盛を照らして目視しやすくした測量スタッフ用照明装置が提案されており、これを用いることにより、作業者の手間を増やすことなく暗環境下でも測量作業を実施しやすいものとしている。
【０００４】
しかしながら、この技術において長い棒状部材からなるスタッフ本体の表面で上下方向に亘って表示された測量用目盛を総て照らすためには、ＬＥＤライト等による照明手段を上下方向に多数備えた大きな装置が必要になることに加え、多数の照明手段に電力を供給するために大容量の蓄電池が必要となるため、測量スタッフの全体重量が増加して作業者の負担が過大になりやすいとともに、導入と維持のためのコストが高騰しやすいという問題もある。
【０００５】
また、測量スタッフは鉛直に支持する必要があるため、これに水準器を付設したものを使用するケースも多いところ、暗い環境下では、その水準器の水準判定部も陰または暗い状態になってしまうことから、これを目視で確認しながら測量スタッフを鉛直の状態に調整することも困難となりやすい。
【先行技術文献】
【特許文献】
【０００６】
【特許文献１】特開２０１６−１１４４８２号公報
【考案の概要】
【考案が解決しようとする課題】
【０００７】
本考案は、上記のような問題点を解決しようとするものであり、測量スタッフを使用する測量において、暗い環境下でも容易に作業を実施できるようにすることを課題とする。
【課題を解決するための手段】
【０００８】
そこで、本考案は、横断面コ字状で上下に長い棒状部材からなるスタッフ本体と、このスタッフ本体における３つの内側面のうち開口部から奥側の面にその上下方向に亘って表示された測量用目盛とを備えた測量スタッフであって、そのスタッフ本体の３つの内側面で囲まれた内側空間の上端側には、照明手段が発光部を下向きにして配設されており、暗い環境下でこの照明手段を点灯して上方から前記内側空間を照明することにより、前記測量用目盛がその上端側から下端側まで照らされて前方から総て視認可能な状態になる、ことを特徴とするものとした。
【０００９】
このように、横断面コ字状のスタッフ本体の奥側の面に測量用目盛を表示しながら照明手段でその上方から内部空間を照明する構成としたことにより、左右の内側面で囲まれていることで光線が内側空間内で乱反射するため、少ない光量であっても測量用目盛が上端側から下端側まで総て照らされて外部から視認しやすいものとなり、且つ、このような簡易な構成によりコンパクトで軽いものとなるため、暗環境においても扱いやすくスムーズな作業を実現しやすいものとなる。
【００１０】
また、この測量スタッフにおいて、その内側面のうち開口部から左右の面には蛍光材又は蓄光材による発光面が前記測量用目盛に並列して形成されており、照明手段の光エネルギーで励起された蛍光又は燐光により、その測量用目盛における照明時の視認性を増強することを特徴としたものとすれば、最小限の光量で最大限の視認性を確保可能なものとなる。
【００１１】
さらに、上述した測量スタッフにおいて、そのスタッフ本体の内側空間の下端側には、丸型気泡管による水準器が水準判定部を上向きにして配設されており、照明手段を点灯することでその水準判定部が上方から照らされる、ことを特徴としたものとすれば、暗環境であっても手間を要することなく測量スタッフを鉛直に調整しながら支持しやすいものとなる。
【００１２】
さらにまた、上述した測量スタッフにおいて、そのスタッフ本体の外側面には、その長手方向に沿ってテレスコープ式の支持脚が付設されており、その支持脚を下向きに延ばしながら所望の長さで固定することにより、測量スタッフの全長が下方向に所望量延長される、ことを特徴としたものとすれば、測量現場の状況に応じて測量スタッフの高さを調整しながら容易に対応できるものとなる。
【考案の効果】
【００１３】
横断面コ字状のスタッフ本体の奥側の面に測量用目盛を表示して、照明手段でその上方から内部空間を照明する方式とした本考案によると、暗い環境下でも容易に測量作業を実施可能なものとなる。
【図面の簡単な説明】
【００１４】
【図１】（Ａ）は本考案における実施の形態である測量スタッフの正面図、（Ｂ）は（Ａ）の側面図である。
【図２】図１（Ａ）のＸ−Ｘ線による拡大した断面図である。
【考案を実施するための形態】
【００１５】
以下に、図面を参照しながら本考案を実施するための形態を説明する。
【００１６】
図１（Ａ）は、本実施の形態である測量スタッフ１の正面図、図（Ｂ）はその側面図を示している（中間部分は省略）。この測量スタッフ１は、測量作業において測量器で目視しながら計測を行うための器具であるが、通常の使用状態のほか、照明設備が不充分な建物の中や地下工事現場などの暗い環境でも測量用目盛を目視しやすくした点を特徴としている。
【００１７】
例えば、ビルや工場内において大型設備機器を据え付けるような場合、設置場所の基礎コンクリートはミリ単位の精度で水平に施工されていないケースも多いことから、水準測量を実施しながらスペーサー等で設置面を水平の状態に精密に調整する必要がある。しかし、このような設置空間では照明が不充分な状況も多いため、作業者の一人が測量スタッフを鉛直の状態に支持しながら、懐中電灯等でその測量用目盛を照らす手間を要することも多かった。
【００１８】
そこで、本願考案者らは、斯かる問題点を解決すべく鋭意研究を重ね、本願の測量スタッフを開発するに至ったものである。即ち、この測量スタッフ１は、図１（Ａ）に示すように、横断面コ字状で上下に長い金属製の棒状部材２０からなるスタッフ本体２と、このスタッフ本体２における３つの内側面のうち開口部から奥側の面に、テープ状のメジャーをその上下方向に亘って貼付して表示された測量用目盛２１とを備えている。
【００１９】
そのスタッフ本体２の３つの内側面で囲まれた内側空間の上端側には、照明手段としての小型ライト４が発光部４０を下向きにして配設されており、暗い環境下でこの小型ライト４を点灯してスタッフ本体２の内側空間内を上方から照明することにより、その測量用目盛２１がその上端側から下端側に亘って照らされて正面から視認可能な状態になるものであり、この点が本考案における最大の特徴部分となっている。
【００２０】
この小型ライト４としては、図のように小型電池４１を内蔵してスイッチ４２でＬＥＤ素子による発光部４０を点灯・消灯操作することが可能な携帯式のＬＥＤライトが、横断面コ字状の棒状部材２０の内側空間にその先端側を上方から挿入・固定しやすく少ない電力量で長時間点灯できる点で好適である。
【００２１】
このように、スタッフ本体２の奥側の面に測量用目盛２１を表示しながら小型ライト４でその上方から内部空間を照明する構成を採用したことにより、左右の内側面で囲まれているために光線が内側空間内で乱反射して、少ない光量でも測量用目盛２１が上端側から下端側まで総て照らされて正面から視認しやすいものとしている。
【００２２】
また、上述したように、本考案の測量スタッフ１は、１個の発光部４０だけで測量用目盛２１を総て照明する構成であることから、全体としてコンパクト且つ軽量の状態で収まるため、暗環境においても作業者に過剰な負担を強いることなく、スムーズな作業を実現しやすいものとしている。
【００２３】
さらに、この測量スタッフ１においては、そのスタッフ本体２を構成する横断面コ字状の棒状部材２０の内側面のうち、その開口部から左右の面には蛍光材又は蓄光材を表面に塗布したテープ状部材による発光面２２ａ，２２ｂが、奥側の測量用目盛２１に並列して上下方向に亘って形成されており、この点も本実施の形態の重要な特徴部分となっている。
【００２４】
これにより、小型ライト４における発光部４０の照射による光エネルギーで励起された蛍光材又は蓄光材の発光面２２ａ，２２ｂにおいて、蛍光又は燐光による発光（ルミネセンス）現象が生じるようになっており、その発光現象により測量用目盛２１における照明時の視認性を増強できるため、最小限の光量で最大限の視認性を確保可能としている。尚、この発光面２２ａ，２２ｂを構成する材料としては、照明時の発光強度の大きさの観点から、蛍光材が好適である。
【００２５】
加えて、図１（Ｂ）に示すように、本実施の形態の測量スタッフ１には、その外側面においてその長手方向に沿うように、テレスコープ式の支持脚３が、固定ネジ及び固定バンド５０（図２参照）等で固定された状態で付設されている。その支持脚３は、筒状の本体３０からこれよりも小径の延長脚３１を下向きに延ばしながら、延長前の長さの約２倍弱の長さまで下向きに延長可能であるとともに、所望の長さ位置で延長脚３１を中心軸回りに回転させることで、その長さをネジ式に固定できるようになっている。
【００２６】
そのため、延長脚３１を下向きに延ばしながら所望の長さ位置で固定することにより、測量スタッフ１の全長を下方向に所望量延長することができる。したがって、例えば設置する機器に応じて上部で測ったり下部で測ったりするような場合など、測量現場の状況に応じて延長脚３１の長さを調整した後、その先端側の石突３１ａを測量位置に当てて測量スタッフ１を鉛直の状態に支持するだけで、容易に測量を開始することができる。尚、図示は省略するが、延長脚３１の表面に上下方向の目盛を表示すれば、その延長量を正確且つ調整することも容易になる。
【００２７】
図２は、図１（Ａ）のＸ−Ｘ線に沿う断面図を拡大して示している。本実施の形態の測量スタッフ１においては、そのスタッフ本体２を構成する棒状部材２０による内側空間の下端側には、丸型気泡管による水準器２３がその水準判定部を上向きにして配設されており、内側空間上端側の小型ライト４を点灯することで、その水準判定部が上方から照らされて、その水準判定部の空気２３ａの位置が視認しやすい状態となる。これにより、暗環境であっても手間を要することなく測量スタッフを鉛直に調整しながら支持しやすいものとなる。
【００２８】
以上、述べたように、測量スタッフを使用する測量において、本考案により暗い環境下でも容易に作業を実施できるようになった。
【符号の説明】
【００２９】
１  測量スタッフ、２  スタッフ本体、３  支持脚、４  小型ライト、２０  棒状部材、２１  測量用目盛、２２ａ，２２ｂ  発光面、２３  水準器、４０  発光部
【図１】
0003217480.tif 000003
【図２】
0003217480.tif 000004